(57)【要約】  硬化ランプ装置は吸引カップによって加工面に取り付けられる。ベースが吸引カップに取り付けられ、第１の棒材用の枢着点を規定する。第１の棒材の遠端で第２の棒材が第１の棒材に枢着される。第１のランプ要素は第２の棒材の一端に枢着される。第２のランプ要素は第２の棒材の第２の端部に枢着される。第１および第２のランプ要素は表面内の修復される亀裂の経路を辿ることができるように、多様な位置に配置することができる。ランプ要素は保管位置に折り畳むこともできる。
2008520081.tif 000002
【特許請求の範囲】
【請求項１】
加工面に取り付けるための硬化ランプ装置であって、
該加工面と係合可能な吸引カップ表面と垂直な縦軸を規定する吸引カップと、
該吸引カップに取り付けられたベースと、
該ベースに枢着された近端部と、該ベースから延在する遠端部とを有し、該ベースと棒材の近端部との間に第１の枢着点をさらに規定する第１の棒材と、
第２の棒材の中心点で該第１の棒材の該遠端に枢着され、該第１の棒材と該第２の棒材との間に第２の枢着点をさらに規定し、該中心点から延在する第１および第２の遠端を含む第２の棒材と、
該第２の棒材の該第１の遠端に枢着され、該第２の棒材の該第１の遠端と第１のランプ要素との間に第３の枢着点をさらに規定する第１のランプ要素と、
該第２の棒材の該第２の遠端に枢着され、該第２の棒材の該第２の遠端と第２のランプ要素との間に第４の枢着点をさらに規定する第２のランプ要素と、を備える硬化ランプ装置。
【請求項２】
前記ベースに取り付けられた第２の吸引カップをさらに備える請求項１に記載の硬化ランプ装置。
【請求項３】
前記ベースと前記第１の棒材との間の前記第１の枢着点の締め付け力を調整するための第１のノブをさらに備える請求項１に記載の硬化ランプ装置。
【請求項４】
前記第１の棒材と前記第２の棒材との間の前記第２枢着点の締め付け力を調整するための第２のノブをさらに備える請求項３に記載の硬化ランプ装置。
【請求項５】
前記第１の棒材と前記第２の棒材との間の前記第２の枢着点の締め付け力を調整するためのノブをさらに備える請求項１に記載の硬化ランプ装置。
【請求項６】
各ランプ要素は前記第２の棒材と各々の第１および第２のランプ要素のそれぞれとの間の第３および第４の枢着点のそれぞれに対する各々のランプ要素の遠端に位置する電球ソケットを含む請求項１に記載の硬化ランプ装置。
【請求項７】
各々の第１および第２のランプ要素は、
電球と、
電球ソケットと、を含み、各々の電球ソケットは前記第１および第２のランプ要素のそれぞれの前記電球を受け、また各々の電球ソケットは前記第３および第４の枢着点のそれぞれから間隔をおいた前記第１および第２のランプ要素の遠端に位置する請求項１に記載の硬化ランプ装置。
【請求項８】
前記ベースから前記第１の棒材に沿って第１の方向に前記第１および第２のランプ要素へと延在する可撓電源コードをさらに備え、該電源コードは該ベースから第２の、反対方向に電源プラグへと延び、また、該第１および第２のランプ要素用のバラストが該ベースと該電源プラグとの間の該電源コードと同一線状に位置する請求項７に記載の硬化ランプ装置。
【請求項９】
前記各々の第１および第２のランプ要素内の前記電球は線形電球であり、また前記第１および第２のランプ要素は各々、閉鎖遠端と開放近端とを有する外ハウジングを含み、該閉鎖遠端は該第１および第２のランプ要素のそれぞれの該遠端に位置する請求項８に記載の硬化ランプ。
【請求項１０】
前記第１および第２のランプ要素は線形光源をなす請求項１に記載の硬化ランプ装置。
【請求項１１】
前記第１および第２のランプ要素は各々、閉鎖遠端と開放近端とを有する外ハウジングを含み、該開放近端は前記第３および第４の枢着点のそれぞれの近傍に位置する請求項１０に記載の硬化ランプ装置。
【請求項１２】
加工面に取り付けるための硬化ランプであって、
該加工面と係合可能な吸引カップ表面と垂直な縦軸を規定する吸引カップと、
該吸引カップに取り付けられたベースと、
第１および第２の端部を有し、該第１の端部は該ベースに取り付けられ、該第２の端部が該ベースから間隔をおいた遠端をなす棒材と、
該棒材の該遠端に枢着され、前記縦軸と平行な第１の軸を規定する第１のランプ要素と、
該棒材の該遠端に枢着され、前記縦軸と平行な第２の軸を規定し、該第１のランプ要素から離れる方向に枢動可能な第２のランプ要素と、を備える硬化ランプ。
【請求項１３】
前記棒材の前記第１の端部は前記ベースに枢着される請求項１２に記載の折り畳み式ランプ。
【請求項１４】
前記第１および第２のランプ要素は線形光源をなす請求項１２に記載の硬化ランプ。
【請求項１５】
硬化ランプの使用方法であって、
修理される表面にランプ装置のベースを取り付ける工程と、
該ランプ装置の第１のアームを該ベースに対して回転させる工程と、
該ランプ装置の第１のランプを該第１のアームに対して回転させて、該第１のランプを該表面の亀裂の第１の部分の上方に配置する工程と、
該ランプ装置の第２のランプを該第１のアームに対して回転させて、該第２のランプを該表面の亀裂の第２の部分の上方に配置する工程と、を含む方法。
【請求項１６】
硬化ランプの使用方法であって、
前記ランプの第１のランプ要素を該ランプのアームの近傍の第１の位置から、該第１のランプの遠端が該アームから間隔を隔てた第２の位置へと第１の方向に展開する工程と、
前記ランプの第２のランプ要素を該アームの近傍の第１の位置から、該第２のランプの遠端が該アームから間隔を隔てた第２の位置へと、第１の方向とは反対の方向に展開する工程と、
該ランプを吸引カップによって表面に取り付ける工程と、を含む方法。
【発明の詳細な説明】
【技術分野】
【０００１】
本出願は２００５年１１月２日、ＰＣＴ国際特許出願として、カナダの会社であり、米国を除く全指定国向けの出願人であるＴＣＧインターナショナルＩｎｃ．、および双方とも米国市民であり、米国のみの指定向けの出願人であるカイス  Ａ．ベベリッジ（Ｋｅｉｔｈ  Ａ．Ｂｅｖｅｒｉｄｇｅおよびジョナサン  Ｐ．トーマス（Ｊｏｎａｔｈａｎ  Ｐ．Ｔｈｏｍａｓ）の名義で出願され、２００４年１１月１２日に出願された米国実用特許第１０／９８７，１７５号に対する優先権を主張するものである。
【０００２】
本発明は防風ガラスまたは他のガラスまたはプラスチック材料の亀裂を補修するために使用される補修材料を硬化するために硬化ランプに関する。
【背景技術】
【０００３】
防風ガラスまたは他のガラスまたはプラスチック材料に亀裂が入った場合、その亀裂を補修するために樹脂またはその他の補修材料を使用することができる。補修用樹脂を亀裂に塗布するため、米国特許第５，５６５，２１７号；５，７７６，５０６号；６，１３９，３００号および６，３０２，６７０号に記載の装置を含め、様々な補修ブリッジまたは樹脂噴射器付の装置が公知である。
【０００４】
補修材料は紫外線光源で硬化される必要がある場合が多い。防風ガラスまたはその他の表面の近傍の、亀裂の近くに配置され、亀裂内にある補修材料を硬化するための紫外線光源を含むランプは公知である。
【０００５】
硬化ランプに関する様々な問題がある。典型的には、亀裂は現場で硬化されるので、補修技術者は必要なあらゆる装置を補修される防風ガラスまたはその他の材料の場所まで運搬できることが必要である。さらに、補修技術者は効果的な方法で好結果が得られるように亀裂を補修することを望んでいる。ランプは補修される亀裂ほど長くはないことが多い。典型的には、亀裂に沿って樹脂を硬化させるため、ランプは亀裂に沿って移動される。小さすぎるランプは、亀裂上方のエリアを技術者にとって充分にはカバーできない。逆に大きすぎるランプは無駄が多く、亀裂の経路を辿ることができず、運搬が難しいことがある。ランプが補修材料の上方に適切に設置されないと、材料は適切に硬化しない。
【発明の開示】
【発明が解決しようとする課題】
【０００６】
硬化ランプに関してさらに改良する必要がある。
【課題を解決するための手段】
【０００７】
本発明は、加工面と係合可能な吸引カップと、吸引カップに取り付けられたベースとを含む、加工面に取り付けるための硬化ランプ装置を含んでいる。第１の棒材はベースに枢着され、ベースから延在する遠端部を含んでいる。第２の棒材は第１の棒材の遠端に枢着され、第１および第２の枢着されたランプ要素を含んでいる。
【０００８】
本発明の別の態様は、第１および第２のランプ要素が各々棒材の遠端に枢着され、また棒材の近端を吸引カップで加工面に取り付けることができる、加工面に取り付けるための硬化ランプに関するものである。
【０００９】
本発明の別の態様は、修理される表面にランプ装置のベースを取り付ける工程と、ランプ装置の第１のランプを該第１のアームに対して回転させて、第１のランプを表面の亀裂の第１の部分の上方に配置する工程と、ランプ装置の第２のランプをアームに対して回転させて、第２のランプを表面の亀裂の第２の部分の上方に配置する工程と、を含む硬化ランプの使用方法に関するものである。この方法は好ましくは、ランプ装置のアームをベースに対して回転させる工程を含んでいる。
【００１０】
本発明のランプ装置および方法はさらに、第１および第２のランプ要素が別個に枢着され、またランプを補修される表面に取り付けることができる折り畳み式ランプに関するものである。
【発明を実施するための最良の形態】
【００１１】
ここで図１および２を参照すると、本発明の好適な一実施形態によるランプ装置１０が示されている。ランプ装置１０は補修される防風ガラスまたはその他の表面１１にランプ装置１０を取り付けるために使用される少なくとも１つの吸引カップ２４を含むベース１２を含んでいる。図示されている実施形態では、ベース１２が第１および第２の吸引カップ２４、２６を含んでいる。少なくとも１つのランプ要素１６、１８を含む遠端２０を有するアーム１４がベース１２から延びている。好適な実施形態では、２つのランプ要素が備えられる。各ランプ要素１６、１８は防風ガラス１１に紫外線（ＵＶ）ライトを照射する。ランプ装置１０と、それに備わるＵＶライトとは防風ガラス１１の亀裂１３内にある補修材料を硬化するために使用される。
【００１２】
ベース１２はベース１２とアーム１４との間に第１の枢着点２８を規定するためのマウント２２を含んでいる。アーム１４は第１の枢着点２８のまわりをベース１２に対して枢動可能である。回転を防止、または制限するため、引っ張りノブ３６によってアーム１４をベース１２によりしっかりと固締または保持することができる。ノブ３６を緩めることによって、アーム１４は新たな位置に自由に枢動することができる。ノブ３６は枢着点２８でファスナ（図示せず）にねじで取り付けることができる。
【００１３】
アーム１４はベース１２の近傍の近端４０から遠端４２まで延在する第１の棒材３８を含んでいる。第２の棒材５６は第１の棒材３８の遠端４２に枢着されている。双方のランプ要素１６、１８は第２の棒材５６に取り付けられている。棒材５６の中心５８は第１の棒材３８の遠端４２に枢着されて、ランプ装置１０用の第２の枢着点３０を規定する。回転を防止、または制限するため、引っ張りノブ６０によって第２の棒材５６を第１の棒材３８によりしっかりと固締または保持することができる。ノブ６０を緩めることによって、第２の棒材５６は新たな位置に自由に枢動することができる。ノブ６０は枢着点３０でファスナ（図示せず）にねじで取り付けることができる。
【００１４】
ランプ要素１６、１８は第２の棒材５６の遠端６４、６６に取り付けられる。好適には、第２の棒材５６と各ランプ要素１６、１８はヒンジで取り付けられる。第２の棒材５６の遠端６４はランプ要素１６に取り付けられ、第３の枢着点３２を規定する。第２の棒材５６の反対側の遠端６６は第２のランプ要素１８に枢着されて、第４の枢着点３４を規定する。第２の棒材５６の遠短６４、６６と各ランプ要素１６、１８との間の枢着は、図示した実施形態ではファスナ７０、７２によってなされている。枢着の締め付け力はドライバーを用いて調整可能である。
【００１５】
ここで図３および４を参照すると、第１の棒材３８は図示のとおり第１の枢着点２８を支点に移動可能である。第１の枢着点２８は吸引カップの表面２５、２７（図１を参照）に対して垂直な枢軸２９を規定する。下部の吸引カップ表面２５、２７は双方とも、図１に示されているように防風ガラス１１に対して垂直な縦軸１５に対して垂直である。
【００１６】
ここで図５および６を参照すると、第２の棒材５６は第２の枢着点３０を支点に望みどおりに移動可能である。第２の枢着点３０は縦軸１５と平行な枢軸３１を規定する。好適な実施形態では、ランプ装置１０は防風ガラス１１の亀裂１３の上方にランプ装置１６、１８を設置するための柔軟性をさらに備えるために、図３および４、および図５および６に示すような移動性を含んでいる。
【００１７】
ここで図７および８を参照すると、各ランプ要素１６、１８は図示のようにそれぞれの枢着点３２、３４を支点に枢動可能である。ランプ要素１６、１８は好適な実施形態では独立して移動する。ランプ要素１６、１８は縦軸１５と平行な第１および第２のそれぞれの枢軸３３、３５を支点に枢動する。好適な実施形態では、ランプ要素１６、１７は図３および４、および図５および６にそれぞれ示されているように第１の棒材３８と第２の棒材５６の移動と共に、図７および８に示すように移動可能である。このように、多様な異なる亀裂の形状をより密接に辿るように、ランプ要素１６、１８の多様な位置決めが可能である。
【００１８】
ここで図９を参照すると、ランプ要素１６、１８がＳ字曲線の形状の亀裂７８を辿るための位置にあるランプ装置１０が示されている。
【００１９】
ここで図１０を参照すると、例えば保管や運搬用に折り畳み位置にあるランプ装置１０が示されている。折り畳み位置では、ランプ要素１６、１８は遠端がベース２０の近傍にある第１の棒材３８と平行に位置している。
【００２０】
ここで図１１を参照すると、ランプ装置１０のさらなる特徴が示されている。電源コード８０はプラグ８２から第１の可撓コード部８４を経て、ランプ要素１６、１８内の紫外線電球に給電するために必要なバラスト８６へと延びている。バラスト８６からは、第１および第２のランプ要素１６、１８に必要な電力を供給するために第１の棒材３８へと延び、これに沿って追従する第２の可撓コード部８８が延びている。
【００２１】
ここで図１２を参照すると、ファスナ開口部１１８を含む近端および遠端４０、４２を含む第１の棒材３８がより詳細に示されている。
【００２２】
ここで図１３を参照すると、遠端６４、６６に位置するファスナ開口部１２０と、第２の棒材５６の中点５８に位置するファスナ開口部１２２とを有する第２の棒材５６が示されている。
【００２３】
ここで図１４から１７を参照すると、第１および第２のランプ要素１６、１８の各々はレフレクタ１０８（図１５を参照）の周囲にランプハウジング１００を含んでいる。さらにランプハウジング１００内には電球ソケット１１０と線形電球１１２とが配置されている。電球クリップ１１４は電球１１２の遠端１１３を保持する。ランプハウジング１００は一般に、開放端１０２と閉鎖点１０４とを含んでいる。図１２に示されているように、開放端１０２は互いに隣接して位置しており、閉鎖端１０４は各ランプ要素１６、１８の遠端に位置している。ランプハウジング１００の開放端１０２は可撓端部１０２の近傍の電球１１２からの光を遮断しないように備えられている。
【００２４】
ランプハウジング１００は第３と第４の枢着点３２および３４に関連するそれぞれのファスナ用のファスナ開口部を規定する上表面１３０を含んでいる。ランプハウジング１００の底部１３４は硬化される面を光が照射することができるように、Ｕ形の開口部１３６を規定している。底面１３４の小さい丸形脚部１３８が補修される表面に係合する。
【００２５】
上記の明細書、実施例およびデータは本発明の構成の製造および使用の完全な説明である。本発明の趣旨と範囲から離れることなく、本発明の多くの実施形態を実施可能であるので、本発明は添付の特許請求の範囲に存在する。
【図面の簡単な説明】
【００２６】
【図１】防風ガラスの亀裂の上に取り付けられた本発明の一実施形態による硬化ランプの斜視図である。
【図２】第１の位置にある硬化ランプの上面図である。
【図３】ランプが第１の枢着点を支点とする回転位置にある、図２の硬化ランプの上面図である。
【図４】ランプが第１の枢着点を支点とする回転位置にある、図２の硬化ランプの上面図である。
【図５】ランプが第２の枢着点を支点とする回転位置にある、図２の硬化ランプの上面図である。
【図６】ランプが第２の枢着点を支点とする回転位置にある、図２の硬化ランプの上面図である。
【図７】ランプが第３および第４の枢着点を支点とする回転位置にある、図２の硬化ランプの上面図である。
【図８】ランプが第３および第４の枢着点を支点とする回転位置にある、図２の硬化ランプの上面図である。
【図９】Ｓ字曲線を有する亀裂用のランプ位置を示す硬化ランプの上面図である。
【図１０】折り畳み位置にある硬化ランプの上面図である。
【図１１】電源コードおよび遠隔バラストを含む硬化ランプを示す図である。
【図１２】硬化ランプの第１の棒材の上面図である。
【図１３】硬化ランプの第２の棒材の上面図である。
【図１４】一部を除去し、反対方向に延在する２つのランプ要素を示す硬化ランプの側面図である。２つのランプ要素の内部も図１４に示されている。
【図１５】ランプ要素の１つの端面図である。
【図１６】ランプ要素の１つの上面図である。
【図１７】ランプ要素の１つの底面図である。
【図１】
2008520081.tif 000003
【図２】
2008520081.tif 000004
【図３】
2008520081.tif 000005
【図４】
2008520081.tif 000006
【図５】
2008520081.tif 000007
【図６】
2008520081.tif 000008
【図７】
2008520081.tif 000009
【図８】
2008520081.tif 000010
【図９】
2008520081.tif 000011
【図１０】
2008520081.tif 000012
【図１１】
2008520081.tif 000013
【図１２】
2008520081.tif 000014
【図１３】
2008520081.tif 000015
【図１４】
2008520081.tif 000016
【図１５】
2008520081.tif 000017
【図１６】
2008520081.tif 000018
【図１７】
2008520081.tif 000019
【国際調査報告】
2008520081.tif 000020
2008520081.tif 000021